(57)【要約】【課題】  表面が平らな配送物に貼付した場合であっても、配達票のみを容易に剥がすことが可能な配送伝票を提供する。【解決手段】  配達票２ａと貼付票２ｂとに区分された最上層の表面基材２とタック基材６とが接着剤層４または接着剤層１０を介して接着されているとともに、タック基材６が粘着剤層７を介して剥離シート８に貼り合わされており、配達票２ａとタック基材６の間には、剥離層３が設けられて、タック基材６から配達票２ａが剥離可能な配送伝票１であって、配達票２ａの角部が４本の線分により形成される角部切り取り線１１によりＬ字型の切除部１１ａとして切除されており、配達票２ａの下層側の接着剤層４において、配達票２ａの角部切り取り線１１のうち、配達票の左端の辺、配達票と貼付票を区分する辺のいずれとも接しない２本の線分１１２、１１３を含む部分に接着剤が塗布されていない非接着部１２ａを有し、非接着部１２ａに対応する配達票２ａの一部が摘み部１３ａとして形成される。【選択図】  図１
2012011680.tif 000002
【特許請求の範囲】
【請求項１】
配達票と貼付票に区分された最上層の表面基材とタック基材とが接着剤層を介して接着されているとともに、前記タック基材が粘着剤層を介して剥離基材に貼り合わされており、前記配達票とタック基材の間には、剥離層が設けられて、前記タック基材から配達票が剥離可能な配送伝票であって、
前記配達票の角部が、配達票の左端の辺、配達票と貼付票を区分する辺上の点を起点とする２本の線分に加えて１以上の弧または線分により形成される角部切り取り線により略Ｌ字型の切除部として切除されており、前記配達票の下層側の接着剤層において、前記配達票の角部切り取り線のうち、前記１以上の弧または線分を含む部分に接着剤が塗布されていない非接着部を有し、非接着部に対応する配達票の一部が摘み部として形成されることを特徴とする配送伝票。
【請求項２】
前記１以上の弧または線分は、２本の線分であることを特徴とする請求項１に記載の配送伝票。
【請求項３】
前記１以上の弧または線分は、２本の線分と１つの弧であることを特徴とする請求項１に記載の配送伝票。
【請求項４】
前記１以上の弧または線分は、１つの弧であることを特徴とする請求項１に記載の配送伝票。
【請求項５】
前記切除部は、配達票の左端の辺上で切除される長さと、前記配達票と貼付票を区分する辺上で切除される長さが等しいことを特徴とする請求項１から４のいずれか一項に記載の配送伝票。
【請求項６】
前記切除部の配達票の左端の辺上で切除される長さと、前記配達票と貼付票を区分する辺上で切除される長さがともに４ｍｍ以上であることを特徴とする請求項１から５のいずれか一項に記載の配送伝票。
【発明の詳細な説明】
【技術分野】
【０００１】
本発明は、宅配荷物や配送商品を配送業者が配送する際に、配送物に貼付して使用する配送伝票に関する。
【背景技術】
【０００２】
近年、一枚の伝票用紙上に複数種類の伝票を配列させて、各伝票を同時にプリンター印字したものを組とする１パート形式の配送伝票（以下、１パート配送伝票という）が多く利用されるようになってきている。
【０００３】
その代表的な１パート配送伝票は、剥離紙、粘着剤層、タック基材の順に積層されてなるタック紙の前記粘着剤層の形成された面（以下、タック紙裏面という）と反対側の面（以下、タック紙表面という）に接着剤層を介して配達票と貼付票とを面状に配置して形成する伝票用紙が設けられ、少なくともその配達票はタック紙表面から剥離可能な構造を有している（例えば、特許文献１参照）。
【０００４】
１パート配送伝票は、上記のように一枚の伝票用紙上に配達票と貼付票が設けられているので、コンピュータで管理されている配送情報に基づき、お届け先情報、依頼元情報、その他バーコード等の管理用の情報などを、プリンター装置で配送伝票上の所定箇所に高速で印字することが可能である。その使用に当たっては、事前に所定事項がプリンターで印字された１パート配送伝票を用意し、当該１パート配送伝票を構成するタック紙裏面の剥離紙を剥がし、粘着剤層を介して所定の配送物に貼付する。
【先行技術文献】
【特許文献】
【０００５】
【特許文献１】特開２００８−１２６９２号公報
【発明の概要】
【発明が解決しようとする課題】
【０００６】
配送伝票の配送物への貼付後、配達票のみを剥がすことになるが、従来の配送伝票では、ダンボール箱のような表面が平らな配送物に伝票を貼ると、配達票が剥がし難くなるという問題がある。
【０００７】
そこで、本発明は、表面が平らな配送物に貼付した場合であっても、配達票のみを容易に剥がすことが可能な配送伝票を提供することを課題とする。
【課題を解決するための手段】
【０００８】
上記課題を解決するため、請求項１の配送伝票は、配達票と貼付票に区分された最上層の表面基材とタック基材とが接着剤層を介して接着されているとともに、前記タック基材が粘着剤層を介して剥離基材に貼り合わされており、前記配達票とタック基材の間には、剥離層が設けられて、前記タック基材から配達票が剥離可能な配送伝票であって、前記配達票の角部が、配達票の左端の辺、配達票と貼付票を区分する辺上の点を起点とする２本の線分に加えて１以上の弧または線分により形成される角部切り取り線により略Ｌ字型の切除部として切除されており、前記配達票の下層側の接着剤層において、前記配達票の角部切り取り線のうち、前記１以上の弧または線分を含む部分に接着剤が塗布されていない非接着部を有し、非接着部に対応する配達票の一部が摘み部として形成されることを特徴とする。
【０００９】
請求項１の配送伝票によれば、タック基材と剥離可能な配達票の１つの角が、配達票の左端の辺、配達票と貼付票を区分する辺上の点を起点とする２本の線分に加えて１以上の弧または線分により形成される角部切り取り線により略Ｌ字型の切除部として切除されており、剥離層が設けられている配達票の下層側の接着剤層において、配達票の角部切り取り線のうち、１以上の弧または線分を含む部分に接着剤が塗布されていない非接着部を有し、非接着部に対応する配達票の一部が摘み部として形成されるので、摘み部を指先で摘むことにより、配達票を容易に剥がすことが可能になる。
【００１０】
また、請求項２の配送伝票は、請求項１の配送伝票において、前記１以上の弧または線分は、２本の線分であることを特徴とする。
【００１１】
また、請求項３の配送伝票は、請求項１の配送伝票において、前記１以上の弧または線分は、２本の線分と１つの弧であることを特徴とする。
【００１２】
また、請求項４の配送伝票は、請求項１の配送伝票において、前記１以上の弧または線分は、１つの弧であることを特徴とする。
【００１３】
また、請求項５の配送伝票は、請求項１から４のいずれかの配送伝票において、前記切除部は、配達票の左端の辺上で切除される長さと、前記配達票と貼付票を区分する辺上で切除される長さが等しいことを特徴とする。
【００１４】
また、請求項６の配送伝票は、請求項１から５のいずれかの配送伝票において、前記切除部の配達票の左端の辺上で切除される長さと、前記配達票と貼付票を区分する辺上で切除される長さがともに４ｍｍ以上であることを特徴とする。請求項４の配送伝票によれば、切除部が所定以上の大きさであるため、指先が摘み部に引っ掛かり易くなり、配達票を容易に剥がすことが可能になる。
【発明の効果】
【００１５】
本発明によれば、平らな配送物に貼付した場合であっても、配達票のみを容易に剥がすことが可能となる。
【図面の簡単な説明】
【００１６】
【図１】本発明の第１の実施形態に係る配送伝票を示す図である。
【図２】Ｌ字型に切り取られた角部付近の拡大平面図である。
【図３】配達票を剥離した状態の配送伝票の平面図である。
【図４】本発明の第２の実施形態に係る配送伝票の拡大平面図である。
【図５】本発明の第３の実施形態に係る配送伝票の拡大平面図である。
【発明を実施するための形態】
【００１７】
以下、本発明の好適な実施形態について、図面を参照して詳細に説明する。
図１は、本発明第１の実施形態に係る配送伝票を示す図である。このうち、図１（ａ）は表面側の平面図、図１（ｂ）は図１（ａ）におけるＩ−Ｉに対応する断面図、図１（ｃ）は図１（ａ）におけるII−IIに対応する断面図である。
【００１８】
図１に示すように、本実施形態に係る配送伝票は、表面に配送情報記入部が印字された配達票２ａと、表面に配送情報記入部が印字された貼付票２ｂが縦方向に配置された表面基材２が最上位に設けられている。この表面基材２は、図１（ａ）に示すように、横方向に形成されたハーフカット９により配達票２ａと貼付票２ｂに分離可能に形成されている。
【００１９】
図１（ｂ）のＩ−Ｉ断面図に示すように、配達票２ａ（表面基材２）の下層には、剥離層３、接着剤層４を介して、表面に目止め層５、裏面に粘着剤層７が設けられたタック基材６が重ね合わされており、粘着剤層７の下層には、剥離基材８が剥離可能な状態で積層されている。剥離層３と接着剤層４の２つの層により擬似的に接着可能な擬似接着層を形成している。また、図１（ｃ）のII−II断面図に示すように、貼付票２ｂ（表面基材２）の下層では、目止め層５、タック基材６、粘着剤層７、剥離基材８の構成は、配達票２ａの下層と同じであるが、剥離層を有さず、強接着の接着剤層１０が設けられている。強接着の接着剤層１０により、貼付票２ｂは、タック基材６から剥離することができないようになっている。本実施形態では、接着剤層４と接着剤層１０に用いられる接着剤として、同一のものを採用しているが、互いに異なるものを採用しても良い。配送伝票１は、剥離基材８を剥離させた後に、粘着剤層７により配送物に貼付して使用する。
【００２０】
表面基材２としては、充分な強度とプリンターによる印字適性及び搬送適性を有するものであれば使用でき、例えば、上質紙、クラフト紙、複写用紙、グラシン紙、パーチメント紙、レーヨン紙、コート紙、合成紙、樹脂フィルムによりラミネートされた紙等の紙が好適に用いられるが、セロファン、延伸ポリプロピレン、ポリエチレンテレフタレート、延伸ポリスチレン、ポリ塩化ビニル等の樹脂フィルムであっても良い。表面基材２の厚さは２０〜２００μｍ程度が好ましい。さらに、控票などを配送伝票１の上に重ねた場合に、複写特性をもたせるために、ロイコ系染料などからなる感熱発色層を設けても良い。
【００２１】
貼付票２ｂに接する側の配達票２ａの角部には、角部切り取り線１１が設けられている。角部切り取り線１１は、ハーフカット９が設けられている配達票２ａと貼付票２ｂの境界となる辺と、配達票の左端部の辺による角部をＬ字型に切り取るように、４本の線分により形成されている。
【００２２】
Ｌ字型に切り取られた角部付近の拡大平面図を図２に示す。Ａは切除前の配達票２ａの角、Ｂはハーフカット９上の点、Ｃは配達票２ａの左辺上の点である。４本の線分で構成され、配達票２ａの角部を切り取ることができれば、角部切り取り線１１の形状には特に限定はないが、本実施形態では、図２に示すように、線分ＡＢと線分ＡＣが等しく、角部切り取り線１１を構成する線分１１１〜１１４が線分ＡＢ、線分ＡＣのいずれかに平行になるように形成している。具体的には、線分１１１と線分１１４の長さが等しく、線分１１２と線分１１３の長さが等しい。また、線分１１１と線分１１２、線分１１２と線分１１３、線分１１３と線分１１４がなす角度はいずれも９０度である。角部切り取り線１１により、表面基材２および剥離層３の角が切除されることになる。配達票２ａを剥がし易くするため、切除部１１ａの大きさは、線分ＡＢ、線分ＡＣがそれぞれ４ｍｍ以上であるのが望ましい。
【００２３】
図１、図２において、破線で示した１２は、接着剤層４の端部を示している。従って、実際には、表面基材２に隠れて表面からは見えない線であるが、ここでは、角部切り取り線１１との関係を示すため、便宜上、平面図に示してある。接着剤層４の端部１２は、線分ＡＢ、線分ＡＣと平行な２本の線分により構成される。この端部１２まで接着剤が塗布され、角部には、接着剤は塗布されない。従って、表面基材２の下層における角部切り取り線１１と端部１２に挟まれた領域には非接着部１２ａが形成され、非接着部１２ａでは、配達票２ａは、タック基材６に接着されていない状態となっている。この非接着部１２ａの存在により、配達票２ａのうち、接着剤層４と接着されていない正方形状の部分が摘み部１３ａとして形成されることになる。この際、線分１１２と線分１１３は、摘み部１３ａの４辺のうちの２辺となっている。
【００２４】
図１（ａ）の平面図と対比させて、配達票２ａの下層の接着剤層４の状態を図３に示す。図３に示すように、配達票２ａの下層の接着剤層４は、配達票２ａの下層全面に塗布されるのではなく、貼付票２ｂに接する側の左側角を含む正方形状の部分を残したものとなっている。破線で示した１１は、上述のように、配達票２ａの角部切り取り線に対応する位置であるが、配達票２ａの下層側において、角部切り取り線１１と接着剤層４の端部１２の間の非接着部１２ａに接着剤が塗布されていない。非接着部１２ａの存在により、接着剤層４に接着されていない摘み部１３ａを指先で摘むことができ、配達票２ａを容易に剥がすことが可能になる。なお、本実施形態では、図１（ｂ）、（ｃ）に示すように、剥離層３を配達票２ａの下層側全面に渡って設けているが、接着剤層４に合わせて、剥離層３の端部を接着剤層４の端部１２と合わせるようにしても良い。
【００２５】
上記剥離層３、接着剤層４、粘着剤層７は、本発明に係る配達伝票に適したものであれば、その組成については特に限定されるものではないが、好ましい例を以下に列挙する。
【００２６】
剥離層３としては、配達票２ａがタック基材６から容易に剥離できるような接着性の低い樹脂を使用することが好ましく、ポリエチレン、ポリプロピレン、ポリブチレン等のオレフィン系（共）重合体を用いることが最も好ましいが、他にも、ポリスチレン、ポリビニルブチラール、酢酸ビニル共重合体、エチレン−酢酸ビニル共重合体、塩化ビニル−酢酸ビニル共重合体、アクリル樹脂、セルロース樹脂等の熱可塑性樹脂及びこれらの混合物からなるフィルムでも良い。また、ポリウレタン等の熱硬化性樹脂等から形成されたフィルムを用いても良い。さらに、所望に応じて、酸化防止剤、熱安定剤、紫外線吸収剤、スリップ剤、帯電防止剤、防曇剤、着色剤、フィラー等が添加されていても良い。剥離層３を形成するための樹脂の塗布量・塗布厚は特に限定されないが、好ましくは、塗布厚は０．１〜１０μｍである。
【００２７】
接着剤層４は、例えば、ウレタン系、アクリル系などの熱可塑性樹脂を使用することができ、フレキソ法、グラビア法などの公知の印刷法又はコーティング法によって、厚み０．１〜５０μｍ程度に塗布し、貼り合わせ後に、必要に応じて乾燥させる。表面基材２とタック基材６は、接着剤（又は樹脂）が乾燥していない状態で貼り合わせるウェット又はセミウェットラミネート方式、熱圧着方式や感圧方式によって貼り合わせる。
【００２８】
粘着剤層７は、配送物に配送伝票１を貼付可能とする層であり、アクリル系粘着剤が最も好ましいが、天然ゴム系粘着剤、合成ゴム系粘着剤、シリコーンゴム系粘着剤等でも良い。粘着剤層７を形成するための粘着剤の塗布量・塗布厚は特に限定されないが、好ましくは、塗布量は０．１〜５０ｇ／ｍ2であり、塗布厚は０．１〜５０μｍである。配送物等の被着体に対する粘着剤層７の接着力は、剥離層３と接着剤層４との接着力よりも大きくする必要があり、配送物等の被着体に応じて、適宜、調整が必要である。
【００２９】
次に、本発明第２の実施形態について説明する。図４は、本発明第２の実施形態に係る配送伝票１´における略Ｌ字型に切り取られた角部付近の拡大平面図である。図４において、第１の実施形態と同一の部分については、同一符号を付して説明を省略する。
【００３０】
本実施形態の配送伝票１´は、角部切り取り線１１を構成するのが４本の線分だけではなく、４本の線分と１つの弧である点が、第１の実施形態の配送伝票１と異なっている。具体的には、図４に示すように、線分１１１と線分１１４の間が、線分１１５、線分１１６、弧１１７により結ばれている。線分１１５、線分１１６は、それぞれ線分ＡＢ、線分ＡＣに平行である。弧１１７は円周または円周以外の曲線の一部であるが、本実施形態では、円周の一部である円弧としている。したがって、摘み部１３ａは正方形の１つの角の部分が円弧になっている。
【００３１】
次に、本発明第３の実施形態について説明する。図５は、本発明第３の実施形態に係る配送伝票１´´における略Ｌ字型に切り取られた角部付近の拡大平面図である。図５において、第１、第２の実施形態と同一の部分については、同一符号を付して説明を省略する。
【００３２】
本実施形態の配送伝票１´´は、角部切り取り線１１を構成するのが、２本の線分と１つの弧である点が、第１の実施形態の配送伝票１、第２の実施形態の配送伝票１´、と異なっている。具体的には、図５に示すように、線分１１１と線分１１４の間が、弧１１８により結ばれている。弧１１８は円周または円周以外の曲線の一部であるが、本実施形態では、円周の一部である円弧としている。
したがって、摘み部１３ａは、１／４円になっている。
【００３３】
以上、本発明の好適な実施形態について説明したが、本発明は上記実施形態に限定されず、種々の変形が可能である。例えば、上記実施形態では、配達票２ａを上、貼付票２ｂを下としたときに、切除部、非接着部を左側に設けるようにしたが、右側に設けるようにしても良い。
【符号の説明】
【００３４】
１、１´、１´´・・・配送伝票
２・・・表面基材
２ａ・・・配達票
２ｂ・・・貼付票
３・・・剥離層
４・・・接着剤層
５・・・目止め層
６・・・タック基材
７・・・粘着剤層
８・・・剥離基材
９・・・ハーフカット
１０・・・接着剤層
１１・・・角部切り取り線
１１ａ・・・切除部
１２・・・接着剤層端部
１２ａ・・・非接着部
１３ａ・・・摘み部
１１１〜１１６・・・線分
１１７、１１８・・・弧
【図１】
2012011680.tif 000003
【図２】
2012011680.tif 000004
【図３】
2012011680.tif 000005
【図４】
2012011680.tif 000006
【図５】
2012011680.tif 000007